【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
デュアルアクセス禁止クラスを用いて優先アクセスを決定するための方法であって、
クライアントデバイスで、少なくとも１つの高優先順位アクセス禁止クラスと少なくとも１つの低優先順位アクセス禁止クラスを受信することと、
低優先順位アクセス禁止クラスに切り替えることと、
アクセス禁止メッセージを受信することと、
前記アクセス禁止メッセージを受信することに応じて、高優先順位アクセス禁止クラスに切り替えることと
を備える、方法。
【請求項２】
前記低優先順位アクセス禁止クラスに前記切り替えることは、時刻、ネットワークイベント、および／またはユーザアクションに基づく、
請求項１に記載の方法。
【請求項３】
サーバは、高優先順位呼要求を受信することに応じて前記アクセス禁止メッセージを送信することをネットワークに命令する通知を、前記ネットワークに送信する、
請求項１に記載の方法。
【請求項４】
前記サーバは、前記通知を送信した後、非優先順位呼要求のための呼アナウンスメントを抑制する、
請求項３に記載の方法。
【請求項５】
前記ネットワークは、前記通知を受信した後、非優先順位呼要求のための呼アナウンスメントを抑制する、
請求項３に記載の方法。
【請求項６】
前記ネットワークは、ユニキャストネットワークを備える、請求項３に記載の方法。
【請求項７】
前記アクセス禁止メッセージは、ネットワークにアクセスすることを許容されるクライアントデバイスのグループを示すビットマスクを備える、
請求項１に記載の方法。
【請求項８】
前記アクセス禁止メッセージは、システム情報ブロックタイプ２（ＳＩＢ２）メッセージを備える、
請求項１に記載の方法。
【請求項９】
クライアントデバイスの高優先順位グループの間のグループ呼のための呼アナウンスメントを受信することをさらに備える、
請求項１に記載の方法。
【請求項１０】
サーバは、クライアントデバイスの高優先順位グループの間のグループ呼の終了に応じてアクセス禁止を終了することをネットワークに命令する通知を、前記ネットワークに送信する、
請求項１に記載の方法。
【請求項１１】
前記サーバは、前記通知を送信した後、非優先順位呼要求のための呼アナウンスメントを抑制することを停止する、
請求項１０に記載の方法。
【請求項１２】
前記ネットワークは、前記通知を受信した後、非優先順位呼要求のための呼アナウンスメントを抑制することを停止する、
請求項１０に記載の方法。
【請求項１３】
前記グループ呼の終了の後で前記低優先順位アクセス禁止クラスに切り替える、
請求項１０に記載の方法。
【請求項１４】
デュアルアクセス禁止クラスを用いて優先アクセスを決定するための方法であって、
サーバで、クライアントデバイスのグループの間の高優先順位呼のための呼要求を受信することと、
前記呼要求を受信することに応じてアクセス禁止メッセージを送信することをネットワークに命令する通知を、前記ネットワークに送信することと、ここにおいて、前記クライアントデバイスのグループのうちの１または複数のメンバは、前記アクセス禁止メッセージを受信することに応じて高優先順位アクセスクラスに切り替える、
前記通知を送信した後、非優先順位呼要求のための呼アナウンスメントを抑制することと
を備える、方法。
【請求項１５】
前記アクセス禁止メッセージは、前記クライアントデバイスのグループが前記ネットワークにアクセスすることを許容されることを示すビットマスクを備える、
請求項１４に記載の方法。
【請求項１６】
少なくとも１つの高優先順位アクセス禁止クラスおよび少なくとも１つの低優先順位アクセス禁止クラスを複数のクライアントデバイスに供給することをさらに備える、
請求項１４に記載の方法。
【請求項１７】
前記複数のクライアントデバイスは、前記供給に応じて前記低優先順位アクセス禁止クラスに切り替える、
請求項１６に記載の方法。
【請求項１８】
前記低優先順位アクセス禁止クラスに前記切り替えることは、時刻、ネットワークイベント、および／またはユーザアクションに基づく、
請求項１７に記載の方法。
【請求項１９】
前記ネットワークは、前記通知を受信した後、非優先順位呼要求のための呼アナウンスメントを抑制する、
請求項１４に記載の方法。
【請求項２０】
前記ネットワークは、ユニキャストネットワークを備える、請求項１４に記載の方法。
【請求項２１】
前記アクセス禁止メッセージは、前記ネットワークにアクセスすることを許容されるクライアントデバイスのグループを示すビットマスクを備える、
請求項１４に記載の方法。
【請求項２２】
前記アクセス禁止メッセージは、システム情報ブロックタイプ２（ＳＩＢ２）メッセージを備える、
請求項１４に記載の方法。
【請求項２３】
前記高優先順位呼のための呼アナウンスメントを送信することをさらに備える、
請求項１４に記載の方法。
【請求項２４】
前記高優先順位呼の終了に応じてアクセス禁止を終了することを前記ネットワークに命令する命令する通知を、前記ネットワークに送信することをさらに備える、
請求項１４に記載の方法。
【請求項２５】
前記通知を送信した後、非優先順位呼要求のための呼アナウンスメントを前記抑制することを停止することをさらに備える、
請求項２４に記載の方法。
【請求項２６】
前記ネットワークは、前記通知を受信した後、非優先順位呼要求のための呼アナウンスメントを抑制することを停止する、
請求項２４に記載の方法。
【請求項２７】
デュアルアクセス禁止クラスを用いて優先アクセスを決定するための装置であって、
クライアントデバイスで、少なくとも１つの高優先順位アクセス禁止クラスと少なくとも１つの低優先順位アクセス禁止クラスを受信するように構成された論理と、
低優先順位アクセス禁止クラスに切り替えるように構成された論理と、
アクセス禁止メッセージを受信するように構成された論理と、
前記アクセス禁止メッセージを受信することに応じて、高優先順位アクセス禁止クラスに切り替えるように構成された論理と
を備える、装置。
【請求項２８】
前記低優先順位アクセス禁止クラスに前記切り替えることは、時刻、ネットワークイベント、および／またはユーザアクションに基づく、
請求項２７に記載の装置。
【請求項２９】
サーバは、高優先順位呼要求を受信することに応じて前記アクセス禁止メッセージを送信することをネットワークに命令する通知を、ネットワークに送信する、
請求項２７に記載の装置。
【請求項３０】
前記サーバは、前記通知を送信した後、非優先順位呼要求のための呼アナウンスメントを抑制する、
請求項２９に記載の装置。
【請求項３１】
前記ネットワークは、前記通知を受信した後、非優先順位呼要求のための呼アナウンスメントを抑制する、
請求項２９に記載の装置。
【請求項３２】
前記ネットワークは、ユニキャストネットワークを備える、
請求項２９に記載の装置。
【請求項３３】
前記アクセス禁止メッセージは、ネットワークにアクセスすることを許容されるクライアントデバイスのグループを示すビットマスクを備える、
請求項２７に記載の装置。
【請求項３４】
前記アクセス禁止メッセージは、システム情報ブロックタイプ２（ＳＩＢ２）メッセージを備える、
請求項２７に記載の装置。
【請求項３５】
クライアントデバイスの高優先順位グループの間のグループ呼のための呼アナウンスメント受信するように構成された論理をさらに備える、
請求項２７に記載の装置。
【請求項３６】
サーバは、クライアントデバイスの高優先順位グループの間のグループ呼の終了に応じてアクセス禁止を終了することをネットワークに命令する通知を、前記ネットワークに送信する、
請求項２７に記載の装置。
【請求項３７】
前記サーバは、前記通知を送信した後、非優先順位呼要求のための呼アナウンスメントを抑制することを停止する、
請求項３６に記載の装置。
【請求項３８】
前記ネットワークは、前記通知を受信した後、非優先順位呼要求のための呼アナウンスメントを抑制することを停止する、
請求項３６に記載の装置。
【請求項３９】
前記グループ呼の終了の後で前記低優先順位アクセス禁止クラスに切り替えるように構成された論理をさらに備える、
請求項３６に記載の装置。
【請求項４０】
デュアルアクセス禁止クラスを用いて優先順位アクセスを決定するための装置であって、
クライアントデバイスのグループの間の高優先順位呼のための呼要求を受信するように構成された論理と、
前記呼要求を受信することに応じてアクセス禁止メッセージを送信することをネットワークに命令する通知を、前記ネットワークに送信するように構成された論理と、ここにおいて、前記クライアントデバイスのグループのうちの１または複数のメンバは、前記アクセス禁止メッセージを受信することに応じて高優先順位アクセスクラスに切り替える、
前記通知を送信した後、非優先順位呼要求のための呼アナウンスメントを抑制するように構成された論理と
を備える、装置。
【請求項４１】
前記アクセス禁止メッセージは、前記クライアントデバイスのグループが前記ネットワークにアクセスすることを許容されることを示すビットマスクを備える、
請求項４０に記載の装置。
【請求項４２】
少なくとも１つの高優先順位アクセス禁止クラスおよび少なくとも１つの低優先順位アクセス禁止クラスを複数のクライアントデバイスに供給するように構成された論理をさらに備える、
請求項４０に記載の装置。
【請求項４３】
前記複数のクライアントデバイスは、前記供給に応じて前記低優先順位アクセス禁止クラスに切り替える、
請求項４２に記載の装置。
【請求項４４】
前記低優先順位アクセス禁止クラスに前記切り替えることは、時刻、ネットワークイベント、および／またはユーザアクションに基づく、
請求項４３に記載の装置。
【請求項４５】
前記ネットワークは、前記通知を受信した後、非優先順位呼要求のための呼アナウンスメントを抑制する、
請求項４０に記載の装置。
【請求項４６】
前記ネットワークは、ユニキャストネットワークを備える、請求項４０に記載の装置。
【請求項４７】
前記アクセス禁止メッセージは、前記ネットワークにアクセスすることを許容されるクライアントデバイスのグループを示すビットマスクを備える、
請求項４０に記載の装置。
【請求項４８】
前記アクセス禁止メッセージは、システム情報ブロックタイプ２（ＳＩＢ２）メッセージを備える、
請求項４０に記載の装置。
【請求項４９】
前記高優先順位呼のための呼アナウンスメントを送信するように構成された論理をさらに備える、
請求項４０に記載の装置。
【請求項５０】
前記高優先順位呼の終了に応じてアクセス禁止を終了することをネットワークに命令する通知を、前記ネットワークに送信するように構成された論理をさらに備える、
請求項４０に記載の装置。
【請求項５１】
前記通知を送信した後、非優先順位呼要求のための呼アナウンスメントを前記抑制することを停止するように構成された論理をさらに備える、
請求項５０に記載の装置。
【請求項５２】
前記ネットワークは、前記通知を受信した後、非優先順位呼要求のための呼アナウンスメントを抑制することを停止する、
請求項５０に記載の装置。
【請求項５３】
デュアルアクセス禁止クラスを用いて優先アクセスを決定するための装置であって、
クライアントデバイスで、少なくとも１つの高優先順位アクセス禁止クラスと少なくとも１つの低優先順位アクセス禁止クラスを受信するための手段と、
低優先順位アクセス禁止クラスに切り替えるための手段と、
アクセス禁止メッセージを受信するための手段と、
前記アクセス禁止メッセージを受信することに応じて、高優先順位アクセス禁止クラスに切り替えるための手段と
を備える、装置。
【請求項５４】
デュアルアクセス禁止クラスを用いて優先アクセスを決定するための装置であって、
クライアントデバイスのグループの間の高優先順位呼のための呼要求を受信するための手段と、
前記呼要求を受信することに応じてアクセス禁止メッセージを送信することをネットワークに命令する通知を、前記ネットワークに送信するための手段と、ここにおいて、前記クライアントデバイスのグループのうちの１または複数のメンバは、前記アクセス禁止メッセージを受信することに応じて高優先順位アクセスクラスに切り替える、
前記通知を送信した後、非優先順位呼要求のための呼アナウンスメントを抑制するための手段と
を備える、装置。
【請求項５５】
デュアルアクセス禁止クラスを用いて優先アクセスを決定するための非一時的コンピュータ可読媒体であって、
クライアントデバイスで、少なくとも１つの高優先順位アクセス禁止クラスと少なくとも１つの低優先順位アクセス禁止クラスを受信するための少なくとも１つの命令と、
低優先順位アクセス禁止クラスに切り替えるための少なくとも１つの命令と、
アクセス禁止メッセージを受信するための少なくとも１つの命令と、
前記アクセス禁止メッセージを受信することに応じて、高優先順位アクセス禁止クラスに切り替えるための少なくとも１つの命令と
を備える、非一時的コンピュータ可読媒体。
【請求項５６】
デュアルアクセス禁止クラスを用いて優先アクセスを決定するための非一時的コンピュータ可読媒体であって、
サーバで、クライアントデバイスのグループの間の高優先順位呼のための呼要求を受信するための少なくとも１つの命令と、
前記呼要求を受信することに応じてアクセス禁止メッセージを送信することをネットワークに命令する通知を、前記ネットワークに送信するための少なくとも１つの命令と、ここにおいて、前記クライアントデバイスのグループのうちの１または複数のメンバは、前記アクセス禁止メッセージを受信することに応じて高優先順位アクセスクラスに切り替える、
前記通知を送信した後、非優先順位呼要求のための呼アナウンスメントを抑制するための少なくとも１つの命令と
を備える、非一時的コンピュータ可読媒体。